(57)【要約】【課題】通常のプロジェクタと組み合わせるだけで、パソコンの利用を前提とせずに、従来の電子白板装置で行われていたのと同様な、視線を共有させた手書き入力機能を提供すること。【解決手段】この疑似電子白板装置１００の前面には、ペン入力部２０１と、液晶表示部２０２が備えられている。ペン入力部２０１は専用のペン２０３で手書き入力を行う手書き入力領域２０４と、いくつかの動作指示を行う操作ボタン２０５から構成される。手書き入力領域２０４と操作ボタン２０５は、それぞれの領域が利用者が視認できるように、ペン入力部２０１上に矩形等で印刷されている。液晶表示部２０２は、リスト表示部２０６とサムネイル表示部２０７に分かれている。リスト表示部２０６には、表示されたリストを示すカーソル２０８が表示される。また、疑似電子白板装置１００の側面には、ＲＧＢＯｕｔ端子２１１等の接続端子が設けられている。【選択図】        図２
2005092158.tif 000002
【特許請求の範囲】
【請求項１】
表示装置から出力された映像上に手書きの図形や文字を表示することで擬似的に黒板の機能を提供する装置であって、
ペン状の器具もしくは人の指により入力された手書き図形の座標を電気信号に変換する手書き入力手段と、
該手書き入力手段により変換された電気信号から描画軌跡を検出し画像処理する描画処理手段と、
該描画処理手段により処理された画像を映像信号に変換して出力する映像信号出力手段と、を備えていることを特徴とする疑似電子白板装置。
【請求項２】
表示装置から出力された映像上に手書きの図形や文字を表示することで擬似的に黒板の機能を提供する装置であって、
ペン状の器具もしくは人の指により入力された手書き図形の座標を電気信号に変換する手書き入力手段と、
該手書き入力手段を前記装置本体に接続する接続手段と、
前記手書き入力手段により変換された電気信号から描画軌跡を検出し画像処理する描画処理手段と、
該描画処理手段により処理された画像を映像信号に変換して出力する映像信号出力手段と、を備えていることを特徴とする疑似電子白板装置。
【請求項３】
前記表示装置と一体化されて構成されていることを特徴とする請求項２に記載の疑似電子白板装置。
【請求項４】
さらに、電子データの書き込みや読み出しを行う着脱可能なメディアと、
該メディアを装着し駆動するメディア駆動手段と、
前記描画処理手段により処理された画像を前記メディア駆動手段を介して前記メディアに書き込む画像書き込み制御手段と、
前記メディアに書き込まれた画像を読み出し前記画像処理手段が編集可能な状態にする画像読み出し制御手段と、を備えていることを特徴とする請求項１〜３のいずれか一つに記載の疑似電子白板装置。
【請求項５】
さらに、プリンタを接続するプリンタ接続端子と、
前記描画処理手段により処理された画像を前記プリンタ接続端子に接続されているプリンタへ出力するプリンタ制御手段と、を備えていることを特徴とする請求項１〜４のいずれか一つに記載の疑似電子白板装置。
【請求項６】
さらに、前記描画処理手段により処理された画像を格納する画像記憶手段と、
前記メディア駆動手段を介して前記メディアをＵＳＢマスストレージクラスデバイスとして動作させるマスストレージ制御手段と、
該マスストレージ制御手段によりＵＳＢマスストレージクラスデバイスとして動作した前記メディアとアクセスさせる外部装置を接続するＵＳＢインタフェース手段と、を備えていることを特徴とする請求項１〜５のいずれか一つに記載の疑似電子白板装置。
【請求項７】
表示装置から出力された映像上に手書きの図形や文字を表示することで擬似的に黒板の機能を提供する投影方法であって、
手書き図形の座標を電気信号に変換する電気信号変換工程と、
該電気信号変換工程で変換された電気信号から描画軌跡を検出して画像処理する描画処理工程と、
該描画処理工程で処理された画像を映像信号に変換して出力する映像信号出力工程と、を含むことを特徴とする疑似電子白板投影方法。
【請求項８】
さらに、前記描画処理工程で処理された画像を着脱可能なメディアに書き込む画像書き込み工程と、
該画像書き込み工程で前記メディアに書き込まれた画像を読み出し前記画像処理工程で編集可能な状態にする画像読み出し工程と、を含むことを特徴とする請求項７に記載の疑似電子白板投影方法。
【請求項９】
さらに、前記描画処理工程で処理された画像を印刷する印刷工程を含むことを特徴とする請求項７または８に記載の疑似電子白板投影方法。
【請求項１０】
請求項７〜９のいずれか一つに記載の疑似電子白板投影方法をコンピュータに実行させることを特徴とする疑似電子白板投影プログラム。
【発明の詳細な説明】
【技術分野】
【０００１】
板が設置されていなくても、プロジェクタと組み合わせることで簡単に壁面を黒板と同様に利用できる疑似電子白板装置、疑似電子白板投影方法、および疑似電子白板投影プログラムに関する。
【背景技術】
【０００２】
白い板にマーカーペン等で記述し、その内容をスキャナで読み取って印刷するいわゆる電子白板装置が、会議等での共同作業支援を目的に普及し、一定の地位を確立している。特に、近年では、データプロジェクタとパソコンの普及により、パソコンの表示画面を直接スクリーンに投影して資料説明を行うことができるようになっている。さらに、パソコン表示画面の投影の利便性と、電子白板装置の大画面への直接的な筆記性の利便性を兼ね備えた技術も多く提案されている（例えば、特許文献１〜３を参照。）。
【０００３】
特許文献１に記載の技術は、プロジェクタによってスクリーンに投射された画像をメモリ上に静止画像で記録しておき、また、そのスクリーン上にペン等で記入した文字等を画像センサで読み取ってデジタル信号に変換し、メモリ上に蓄積しておく。そして、そのメモリに蓄積されているデータを読み出して合成し、合成されたデータを印刷用紙に印刷するというシステムである。
【０００４】
また、特許文献２に記載の技術は、手元にペン入力装置付きディスプレイを置き、別に用意されたパソコンの画像を前記ペン入力装置付きディスプレイに表示させながら、その画像上にペン入力装置で手書き文字等の入力を行い、パソコン表示画面と手書き入力文字を合成してプロジェクタで投影することで、共同作業をサポートするシステムである。
【０００５】
さらに、特許文献３に記載の技術は、大型ディスプレイ上に直接タッチパネルを設定し、ディスプレイ上に映されたパソコン映像の上に、直接手書き文字の入力を行うシステムである。
【０００６】
【特許文献１】特開平６−１２７１８９号公報
【特許文献２】特開平１１−７３１７４号公報
【特許文献３】特開２０００−４３４８４号公報
【発明の開示】
【発明が解決しようとする課題】
【０００７】
上記特許文献１〜３に記載の技術は、手書き画像とパソコン画像とを融合させるという機能においては優れた効果を奏するが、以下のような問題点を有している。すなわち、いずれの技術もパソコンの存在を前提としているため、システム自体が大型で移動させることが困難である。とりわけ、特許文献２，３に記載の技術においては筐体が特に大型なものになっている。また、特許文献２に記載の技術は手元にペン入力装置付きの薄型ディスプレイが必要であり、特許文献３に記載の技術は大型のタッチパネル付きの特殊なディスプレイが必要であるため、いずれも装置構成が複雑になり、コスト高になるという問題がある。
【０００８】
一方で、従来の電子白板装置は会議メンバーの共通の視線上で手書き入力を簡単に行うことができ、またその場で板面の記述を印刷することができることから広く普及してきた。さらに、単体のデータプロジェクタの普及に伴い、特許文献１〜３に記載された技術よりも、むしろ電子プレゼンテーションはデータプロジェクタとパソコンで行い、視線を共有させた手書き入力は電子白板装置で行うというスタイルが近年定着してきている。さらに言えば、単体のデータプロジェクタの低価格化が進むに従い、その普及に拍車がかかると考えられる。このような状況では、むしろ視線を共有させた手書き文字等の入力が可能な電子白板装置のほうが使い勝手がよい。しかし、従来の電子白板装置には次のような問題点がある。すなわち、紙やペンなどの消耗品が必要であるため、その維持管理コストがかかる。電子白板装置は６０インチ程度の比較的広い設置スペースが必要である。電子白板装置はその大きさのため移動させることが容易ではなく、各会議室に設置する必要があり、コストがかかる。さらに、電子白板装置は会議室という共用スペースに設置されることが多いことから、必要なペン等の消耗品の補充がタイムリーに行われにくいこと等である。
【０００９】
さらに、データプロジェクタと一般のパソコンおよびパソコンにインストールされた手書きソフトウェアで、電子白板装置の機能を提供できるが、この場合、パソコンが不可欠になるため、新たに次のような問題点が発生する。すなわち、電子白板装置の機能を提供するといった単純な目的の割りには、パソコンが比較的高価でありコストがかかる。プロジェクタとパソコンという２つの装置を設置し、さらにケーブルで接続しなければならない等、設置に手間がかかる。パソコンの起動までの時間が長く、すぐに利用できない。パソコンにタブレット等のペン状の入力デバイスを別途接続しないと文字が書けないこと等である。
【００１０】
本発明は、上述した従来技術による問題点を解消するため、通常のプロジェクタと組み合わせるだけで、パソコンの利用を前提とせずに、従来の電子白板装置で行われていたのと同様な、視線を共有させた手書き入力機能を提供できる疑似電子白板装置、疑似電子白板投影方法、および疑似電子白板投影プログラムを提供することを目的とする。
【課題を解決するための手段】
【００１１】
上述した課題を解決し、目的を達成するため、請求項１の発明にかかる疑似電子白板装置は、表示装置から出力された映像上に手書きの図形や文字を表示することで擬似的に黒板の機能を提供する装置であって、ペン状の器具もしくは人の指により入力された手書き図形の座標を電気信号に変換する手書き入力手段と、該手書き入力手段により変換された電気信号から描画軌跡を検出し画像処理する描画処理手段と、該描画処理手段により処理された画像を映像信号に変換して出力する映像信号出力手段と、を備えていることを特徴とする。
【００１２】
この請求項１の発明によれば、通常のプロジェクタに、小型の器具を取り付けるだけで、パソコンの利用を前提とせずに、従来の電子白板装置で行われていたのと同様な、視線を共有させた手書き入力機能を提供することができる。これにより、現在普及しているデータプロジェクタの有効利用とコスト削減、および設置性や速い起動性等のユーザビリティの向上が期待できる。
【００１３】
また、請求項２の発明にかかる疑似電子白板装置は、表示装置から出力された映像上に手書きの図形や文字を表示することで擬似的に黒板の機能を提供する装置であって、ペン状の器具もしくは人の指により入力された手書き図形の座標を電気信号に変換する手書き入力手段と、該手書き入力手段を装置本体に接続する接続手段と、前記手書き入力手段により変換された電気信号から描画軌跡を検出し画像処理する描画処理手段と、該描画処理手段により処理された画像を映像信号に変換して出力する映像信号出力手段と、を備えていることを特徴とする。
【００１４】
この請求項２に記載の発明によれば、請求項１に記載の発明の効果に加え、さらに、手書き入力手段（タブレット）を装置本体と別筐体とすることで、前記手書き入力手段部分を薄く構成することができ、疲労が少ない手書き入力環境を整えることができる。また、汎用のタブレットを前記手書き入力手段に利用できるため、コスト低減に資する。
【００１５】
また、請求項３にかかる疑似電子白板装置は、請求項２に記載の発明において、前記表示装置と一体化されて構成されていることを特徴とする。
【００１６】
この請求項３に記載の発明によれば、表示装置と一体化することで、より利便性が向上する。
【００１７】
また、請求項４にかかる疑似電子白板装置は、請求項１〜３のいずれか一つに記載の発明において、さらに、電子データの書き込みや読み出しを行う着脱可能なメディアと、該メディアを装着し駆動するメディア駆動手段と、前記描画処理手段により処理された画像を前記メディア駆動手段を介して前記メディアに書き込む画像書き込み制御手段と、前記メディアに書き込まれた画像を読み出し前記画像処理手段が編集可能な状態にする画像読み出し制御手段と、を備えていることを特徴とする。
【００１８】
この請求項４に記載の発明によれば、データを記憶するメディアが装置本体に対して着脱可能であるため、データが記憶されているメディアのみを取り外して携帯することができる。
【００１９】
また、請求項５にかかる疑似電子白板装置は、請求項１〜４のいずれか一つに記載の発明において、さらに、プリンタを接続するプリンタ接続端子と、前記描画処理手段により処理された画像を前記プリンタ接続端子に接続されているプリンタへ出力するプリンタ制御手段と、を備えていることを特徴とする。
【００２０】
この請求項５に記載の発明によれば、プリンタを接続して手書き画像を印刷することができるため、その場で手書き画像を複数人でシェアすることができ、利便性が向上する。
【００２１】
また、請求項６にかかる疑似電子白板装置は、請求項１〜５のいずれか一つに記載の発明において、さらに、前記描画処理手段により処理された画像を格納する画像記憶手段と、前記メディア駆動手段を介して前記メディアをＵＳＢマスストレージクラスデバイスとして動作させるマスストレージ制御手段と、該マスストレージ制御手段によりＵＳＢマスストレージクラスデバイスとして動作した前記メディアとアクセスさせる外部装置を接続するＵＳＢインタフェース手段と、を備えていることを特徴とする。
【００２２】
この請求項６に記載の発明によれば、パソコンを直接接続することが可能になるため、特別なドライバなどのソフトウェアを必要とせずに、簡単に装置内部の手書き情報を読み出すことができ、手書き情報の利用範囲が著しく拡大する。
【００２３】
また、請求項７にかかる疑似電子白板投影方法は、表示装置から出力された映像上に手書きの図形や文字を表示することで擬似的に黒板の機能を提供する投影方法であって、手書き図形の座標を電気信号に変換する電気信号変換工程と、該電気信号変換工程で変換された電気信号から描画軌跡を検出して画像処理する描画処理工程と、該描画処理工程で処理された画像を映像信号に変換して出力する映像信号出力工程と、を含むことを特徴とする。
【００２４】
この請求項７に記載の発明によれば、パソコンの利用を前提とせずに、従来の電子白板装置で行われていたのと同様な、視線を共有させた手書き入力機能を提供できる。
【００２５】
また、請求項８にかかる疑似電子白板投影方法は、請求項７に記載の発明において、さらに、前記描画処理工程で処理された画像を書く脱可能なメディアに書き込む画像書き込み工程と、該画像書き込み工程で前記メディアに書き込まれた画像を読み出し前記画像処理工程で編集可能な状態にする画像読み出し工程と、を含むことを特徴とする。
【００２６】
この請求項８に記載の発明によれば、着脱可能なメディアに手書き画像のデータを記憶させることができる。
【００２７】
また、請求項９にかかる疑似電子白板投影方法は、請求項７または８に記載の発明において、さらに、前記描画処理工程で処理された画像を印刷する印刷工程を含むことを特徴とする。
【００２８】
この請求項９に記載の発明によれば、手書き画像を容易に印刷することができるため、その場で手書き画像を複数人でシェアすることができ、利便性が向上する。
【００２９】
また、請求項１０にかかる疑似電子白板投影プログラムは、請求項７〜９のいずれか一つに記載の疑似電子白板投影方法をコンピュータに実行させることを特徴とする。
【００３０】
この請求項１０に記載の発明によれば、請求項７〜９のいずれか一つに記載の疑似電子白板投影方法をコンピュータに実行させることができる。
【発明の効果】
【００３１】
本発明にかかる疑似電子白板装置、疑似電子白板投影方法、および疑似電子白板投影プログラムによれば、通常のプロジェクタと組み合わせるだけで、パソコンの利用を前提とせずに、従来の電子白板装置で行われていたのと同様な、視線を共有させた手書き入力機能を提供できるという効果を奏する。
【発明を実施するための最良の形態】
【００３２】
以下に添付図面を参照して、本発明にかかる疑似電子白板装置、疑似電子白板投影方法、および疑似電子白板投影プログラムの好適な実施の形態を詳細に説明する。
【００３３】
（実施の形態１）
図１は、実施の形態１にかかる疑似電子白板装置の利用シーンの一例を示す図である。テーブル１０１に座っている会議メンバーのうち、操作者（リーダーまたは記録担当者等）１０２が、この実施の形態１の疑似電子白板装置１００を操作し、これに接続されたプロジェクタ１０３を介してスクリーン１０４に手書き文字を投影することで、従来の電子白板装置と同様の機能を実現する。
【００３４】
図２は、実施の形態１の疑似電子白板装置の外観図である。この疑似電子白板装置１００は、おおよそＡ４版程度の大きさで、厚さは２０〜３０ｍｍ程度である。疑似電子白板装置１００の前面には、周知の電磁誘導タブレットで構成されたペン入力部２０１と、液晶表示部２０２が備えられている。ペン入力部２０１は専用のペン２０３で手書き入力を行う手書き入力領域２０４と、いくつかの動作指示を行う操作ボタン２０５から構成される。手書き入力領域２０４と操作ボタン２０５は、それぞれの領域が利用者が視認できるように、ペン入力部２０１上に矩形等で印刷されている。また、操作ボタン２０５には、図示されているように、ｎｅｗ，ｃｌｏｓｅ，↑，↓，ｌｏａｄ，ｐｒｉｎｔ，ｄｅｌｅｔｅの７種類がある。また、液晶表示部２０２は、例えば８０×１６０画素程度の安価なモノクロ液晶により構成され、リスト表示部２０６とサムネイル表示部２０７に分かれている。リスト表示部２０６には、表示されたリストを示すカーソル２０８が表示される。
【００３５】
さらに、疑似電子白板装置１００の側面には、ＲＧＢＯｕｔ端子２１１，ＰＲＯｕｔ端子２１２およびＵＳＢ端子２１３をはじめとするいくつかの接続端子が設けられている。ＲＧＢＯｕｔ端子２１１には、プロジェクタ２２１（図１の１０３）のＲＧＢＩｎ端子が接続される。ＰＲＯｕｔ端子２１２には、外部のプリンタ２２２が接続される。ＰＲＯｕｔ端子２１２は、セントロニクス準拠のパラレルインタフェースで構成される。ＵＳＢ端子２１３は、パソコン２２３など外部の機器が疑似電子白板装置１００内の記憶手段に記憶されている画像データ等を読み出すために利用される。さらに、この疑似電子白板装置１００には、例えばスマートメディアで構成されているメモリカード２２４を着脱可能にするメモリカードスロット２１４を備えている。メモリカードスロット２１４にメモリカード２２４を装着することで、このメモリカード２２４を疑似電子白板装置１００の記憶手段とすることができる。
【００３６】
図３は、この疑似電子白板装置１００の概略構成を示すブロック図である。疑似電子白板装置１００は、ＣＰＵ３００により制御され動作する。ペン入力部２０１から入力された、ペンダウン／ペンアップ／ペン移動などの情報は、入力制御部３０１を介してイベント処理部３０２へ入力される。イベント処理部３０２ではペンが手書き入力領域２０４で動作したか、操作ボタン２０５上で動作したかを判断し、それぞれに対応するイベントを発生させる。ペンが手書き入力領域２０４上で動作したことによりイベントが発生した場合は、描画処理部３０３で次の処理が行われる。この処理の概要は、手書き入力領域２０４に入力されたペン２０３の軌跡を画像メモリ３０５内に画像として展開することである。ペン２０３が操作ボタン２０５上で動作したことによりイベントが発生した場合は、コマンド制御部３０４で、次の処理が行われる。この処理の概要は、イベントを発生させた操作ボタン２０５に対応して実行される処理であり、画像メモリ３０５のクリア、画像メモリ３０５内画像のメモリカード２２４へのファイルとしての書き込み、メモリカード２２４内の画像ファイルのリスト選択と選択ファイルの画像メモリ３０５へのロード、画像メモリ３０５内の画像のプリント出力である。このとき、所定のコマンドがコマンド制御部３０４からＲｅａｄ／Ｗｒｉｔｅ／Ｃｌｅａｒ制御部３０６に送られ、そしてプリンタ制御部３０７を介して所定の動作が実行される（詳細は後述する）。
【００３７】
液晶表示部２０２には、現在のメモリカード２２４内のファイル一覧、現在画像メモリ３０５にロードされているファイルを指し示すカーソル２０８、および現在画像メモリ３０５にロードされている画像のサムネイルが表示される。この表示の制御は、前述したイベント処理により実行された処理に対応して、液晶表示制御部３０８が行う。
【００３８】
また、現在画像メモリ３０５にロードされている画像は、映像信号制御部３０９により、常に所定のレートで映像信号に変換されて映像信号出力部３１０からＲＧＢＯｕｔ端子２１１へ出力される。例えば、一般的なプロジェクタを対象とした場合、ＸＧＡ（１０２４×７６９画素）のＲＧＢ出力で出力される。メモリカード２２４内の画像ファイルは、Ｒｅａｄ／Ｗｒｉｔｅ／Ｃｌｅａｒ制御部３０６，マスストレージ制御部３１１およびＵＳＢ制御部３１２を介して、ＵＳＢマスストレージクラスデバイスとして動作する。なお、ＵＳＢマスストレージクラスの詳細は、例えば、このホームページ（http://www.usb.org/developers/devclass#docs）等で公開されている。
【００３９】
次に、この実施の形態１の疑似電子白板装置の動作を説明する。図４は、この疑似電子白板装置１００の全体動作を示すフローチャートである。この疑似電子白板装置１００では、イベント処理部３０２がペン入力部２０１に入力されるイベントの監視を行っている（以下、イベントｌｏｏｐという）（ステップＳ４０１）。そして、ペン入力部２０１へのイベント入力があると（ペンダウンイベント）、この情報がイベントｌｏｏｐへ伝えられる（ステップＳ４０２）。また、このときペンダウンイベントはイベントの付随情報としてイベントが発生した手書き入力領域２０４上の座標をイベントｌｏｏｐに返す。イベントｌｏｏｐがペンダウンイベントを検知すると、ペンダウン処理によりペンダウンの座標が図４の最下段に示したそれぞれの座標にあるかどうかが判断され、座標に応じて所定の処理が実行される（ステップＳ４０３〜ステップＳ４１０）。
【００４０】
まず、手書き入力処理（ペンダウンが手書き入力領域の場合）について説明する。図５は、図４に示した手書き入力処理（ステップＳ４０３）の処理手順を示すフローチャートである。まず、現在のペンの位置を例えばＰ１として記憶する（ステップＳ５０１）。次に、ペンが移動したか否かを検出する（ステップＳ５０２）。ペンの移動がなかった場合（ステップＳ５０２：Ｎｏ）は、ステップＳ５０７へ進む。ペンの移動があった場合（ステップＳ５０２：Ｙｅｓ）は、現在の入力ペンの位置すなわち移動後のペン位置を例えばＰ２として記憶する（ステップＳ５０３）。次に、Ｐ２が手書き入力領域２０４内にあるか否かを検出する（ステップＳ５０４）。Ｐ２が手書き入力領域２０４内にある場合（ステップＳ５０４：Ｙｅｓ）は、Ｐ１からＰ２まで直線を描画する（ステップＳ５０５）。Ｐ２が手書き入力領域２０４内にない場合（ステップＳ５０４：Ｎｏ）は、そのままステップＳ５０６へ進む。続いて、Ｐ２として記憶されている位置をＰ１に代入する（ステップＳ５０６）。そして、ペンアップがなされたか否かを検出する（ステップＳ５０７）。ペンアップがなされていない場合（ステップＳ５０７：Ｎｏ）は、ステップＳ５０２へ戻り処理を続行する。ペンアップがなされた場合（ステップＳ５０７：Ｙｅｓ）は、現在のペン位置すなわちペンアップの位置をＰ２として記憶する（ステップＳ５０８）。次に、Ｐ２が手書き入力領域２０４内にあるか否かを検出する（ステップＳ５０９）。Ｐ２が手書き入力領域２０４内にある場合（ステップＳ５０９：Ｙｅｓ）は、Ｐ１からＰ２まで直線を描画し（ステップＳ５１０）、イベントｌｏｏｐへ戻る（ステップＳ５１１）。Ｐ２が手書き入力領域２０４内にない場合（ステップＳ５０９：Ｎｏ）は、そのままイベントｌｏｏｐへ戻る（ステップＳ５１１）。
【００４１】
ここで、描画とはペン入力の位置（座標）に対応する、所定の背景色で塗りつぶされた画像メモリ３０５に記憶されている画像データの所定の画素に、所定の描画色の値を入力することである。描画処理は、描画処理部３０３で実行される。実際はＣＰＵ３００が所定のメモリ領域に格納された描画プログラムを実行することにより描画処理部３０３が動作する。また、手書き入力処理を実現するために、前記描画プログラムは、線の描画処理だけではなく、消しゴムやペンの太さを選択できるようにＧＵＩ（Graphical User Interface）を提供する。なお、前記描画プログラムには、いわゆる「ペイント系アプリケーション」として一般的に知られているプログラムを使用することができる。図６に、画面表示された描画図形の一例を示す。
【００４２】
次に、図４に示したｎｅｗボタン領域にペンダウンがなされた場合（ステップＳ４０４）の処理を説明する。図７は、この処理手順を示すフローチャートである。まず、イベント処理部３０２がペンアップがなされたか否かを検出する（ステップＳ７０１）。ペンアップがなされていない場合（ステップＳ７０１：Ｎｏ）は、ペンアップがなされるまでループする。ペンアップがなされた場合（ステップＳ７０１：Ｙｅｓ）は、それがｎｅｗボタン領域内であるか否かを検出する（ステップＳ７０２）。ペンアップがｎｅｗボタン領域内になされた場合（ステップＳ７０２：Ｙｅｓ）は、ｎｅｗ処理を行い（ステップＳ７０３）、イベントｌｏｏｐへ戻る（ステップＳ７０４）。ペンアップがｎｅｗボタン領域内になされなかった場合（ステップＳ７０２：Ｎｏ）は、ｎｅｗ処理は行わず、そのままイベントｌｏｏｐへ戻る（ステップＳ７０４）。
【００４３】
ここで、ｎｅｗ処理について説明する。図８は、ｎｅｗ処理の手順を示すフローチャートである。はじめに、画像メモリ３０５をクリア、すなわち背景色で塗りつぶした初期画像を画像メモリ３０５内に展開する（ステップＳ８０１）。次に、文書名、すなわち画像メモリ３０５内の画像データをメモリカード２２４に書き込む場合のファイル名となる文字列を時刻や日付などからユニークに生成する（ステップＳ８０２）。そして、生成した文書名等を画像メモリ３０５の所定の領域に記憶する（一次記憶）（ステップＳ８０３）。なお、生成文字列は、例えば、２００２＿１２２４＿０９２３４２（２００２年１２月２４日９：２３：４２）等とする。また、このｎｅｗ処理は、図７に示した場合以外にも、例えば装置の電源が投入された場合にも、パワーオンリセット後に実行される。
【００４４】
次に、図４に示したｃｌｏｓｅボタン領域にペンダウンが行われた場合（ステップＳ４０５）の処理を説明する。図９は、この処理の手順を示すフローチャートである。まず、イベント処理部３０２はペンアップがなされたか否かを検出する（ステップＳ９０１）。ペンアップがなされていない場合（ステップＳ９０１：Ｎｏ）は、ペンアップがなされるまでループする。ペンアップがなされた場合（ステップＳ９０１：Ｙｅｓ）は、それがｃｌｏｓｅボタン領域内であるか否かを検出する（ステップＳ９０２）。ペンアップがｃｌｏｓｅボタン領域内になされた場合（ステップＳ９０２：Ｙｅｓ）は、ｃｌｏｓｅ処理を行い（ステップＳ９０３）、イベントｌｏｏｐへ戻る（ステップＳ９０４）。ペンアップがｃｌｏｓｅボタン領域内になされなかった場合（ステップＳ９０２：Ｎｏ）は、ｃｌｏｓｅ処理は行わず、そのままイベントｌｏｏｐへ戻る（ステップＳ９０４）。
【００４５】
ここで、ｃｌｏｓｅ処理について説明する。図１０は、ｃｌｏｓｅ処理の手順を示すフローチャートである。はじめに、初期画像が更新されたか否かを検出する（ステップＳ１００１）。ここで、初期画像が更新されたか否かの判断は次のようにして行われる。すなわち、前述した描画処理で、初期画像のうち一画素でも変更が加えられたら画像メモリ３０５内の所定の記憶領域にその旨を記憶しておく。具体的には、ｎｅｗ処理の最初Ｆａｌｓｅにセットされた更新フラグをＴｒｕｅに変更する。更新フラグがＴｒｕｅである場合は、初期画像が更新されたと判断する。初期画像が更新された場合（ステップＳ１００１：Ｙｅｓ）は、ステップＳ１００２へ進む。初期画像が更新されなかった場合（ステップＳ１００１：Ｎｏ）は、何もせずに終了する。ステップＳ１００１において初期画像が更新された場合は（ステップＳ１００１：Ｙｅｓ）、前記一時記憶で記憶されている文書を読み込み（ステップＳ１００２）、画像メモリ３０５の画像に文書名を付けてメモリカード２２４にファイルとして保存する（ステップＳ１００３）。なお、このとき、リスト表示部２０６に今保存した文書名を追加表示する。その後、前述したｎｅｗ処理を行い（ステップＳ１００４）、終了する。
【００４６】
次に、図４に示したカーソル（↑）ボタン領域にペンダウンが行われた場合（ステップＳ４０６）の処理を説明する。図１１−１は、この処理の手順を示すフローチャートである。まず、イベント処理部３０２がペンアップがなされたか否かを検出する（ステップＳ１１０１Ａ）。ペンアップがなされていない場合（ステップＳ１１０１Ａ：Ｎｏ）は、ペンアップがなされるまでループする。ペンアップがなされた場合（ステップＳ１１０１Ａ：Ｙｅｓ）は、それがカーソル（↑）ボタン領域内であるか否かを検出する（ステップＳ１１０２Ａ）。ペンアップがカーソル（↑）ボタン領域内になされた場合（ステップＳ１１０２Ａ：Ｙｅｓ）は、カーソル（↑）処理を行い（ステップＳ１１０３Ａ）、イベントｌｏｏｐへ戻る（ステップＳ１１０４Ａ）。ペンアップがカーソル（↑）ボタン領域内になされなかった場合（ステップＳ１１０２Ａ：Ｎｏ）は、カーソル（↑）処理は行わず、そのままイベントｌｏｏｐへ戻る（ステップＳ１１０４Ａ）。
【００４７】
次に、図４に示したカーソル（↓）ボタン領域にペンダウンが行われた場合（ステップＳ４０７）の処理を説明する。図１１−２は、この処理の手順を示すフローチャートである。まず、イベント処理部３０２がペンアップがなされたか否かを検出する（ステップＳ１１０１Ｂ）。ペンアップがなされていない場合（ステップＳ１１０１Ｂ：Ｎｏ）は、ペンアップがなされるまでループする。ペンアップがなされた場合（ステップＳ１１０１Ｂ：Ｙｅｓ）は、それがカーソル（↓）ボタン領域内であるか否かを検出する（ステップＳ１１０２Ｂ）。ペンアップがカーソル（↓）ボタン領域内になされた場合（ステップＳ１１０２Ｂ：Ｙｅｓ）は、カーソル（↓）処理を行い（ステップＳ１１０３Ｂ）、イベントｌｏｏｐへ戻る（ステップＳ１１０４Ｂ）。ペンアップがカーソル（↓）ボタン領域内になされなかった場合（ステップＳ１１０２Ｂ：Ｎｏ）は、カーソル（↓）処理は行わず、そのままイベントｌｏｏｐへ戻る（ステップＳ１１０４Ｂ）。
【００４８】
ここで、カーソル（↑）処理について説明する。図１２−１は、カーソル（↑）処理の手順を示すフローチャートである。はじめに、現在のカーソル位置が最上段か否かを検出する（ステップＳ１２０１Ａ）。現在のカーソル位置はメモリカード２２４の所定の記憶領域に常に記憶されるものとする。現在のカーソル位置が最上段でない場合（ステップＳ１２０１Ａ：Ｎｏ）は、現在のカーソルを一段アップさせる（ステップＳ１２０２Ａ）。現在のカーソル位置が最上段である場合（ステップＳ１２０１Ａ：Ｙｅｓ）は、そのまま処理を終了する。一方、カーソル（↓）処理については、図１２−２に示すように、はじめに、現在のカーソル位置が最下段か否かを検出する（ステップＳ１２０１Ｂ）。現在のカーソル位置はメモリカード２２４の所定の記憶領域に常に記憶されるものとする。現在のカーソル位置が最下段でない場合（ステップＳ１２０１Ｂ：Ｎｏ）は、現在のカーソルを一段ダウンさせる（ステップＳ１２０２Ｂ）。現在のカーソル位置が最下段である場合（ステップＳ１２０１Ｂ：Ｙｅｓ）は、そのまま処理を終了する。なお、カーソル位置はリスト表示部２０６に表示されたファイルリストの行単位で移動するものとし、カーソル位置に対応するファイル名（文書名）はメモリカード２２４の所定の領域に記憶される。
【００４９】
次に、図４に示したｌｏａｄ領域にペンダウンが行われた場合（ステップＳ４０８）の処理を説明する。図１３は、この処理の手順を示すフローチャートである。まず、イベント処理部３０２がペンアップがなされたか否かを検出する（ステップＳ１３０１）。ペンアップがなされていない場合（ステップＳ１３０１：Ｎｏ）は、ペンアップがなされるまでループする。ペンアップがなされた場合（ステップＳ１３０１：Ｙｅｓ）は、それがｌｏａｄボタン領域内であるか否かを検出する（ステップＳ１３０２）。ペンアップがｌｏａｄボタン領域内になされた場合（ステップＳ１３０２：Ｙｅｓ）は、ｌｏａｄ処理を行い（ステップＳ１３０３）、イベントｌｏｏｐへ戻る（ステップＳ１３０４）。ペンアップがｌｏａｄボタン領域内になされなかった場合（ステップＳ１３０２：Ｎｏ）は、ｌｏａｄ処理は行わず、そのままイベントｌｏｏｐへ戻る（ステップＳ１３０４）。
【００５０】
ここで、ｌｏａｄ処理について説明する。図１４は、ｌｏａｄ処理の手順を示すフローチャートである。はじめに、画像メモリ３０５の内容をクリアする（ステップＳ１４０１）。次に、現在のカーソル位置に対応するファイル名のファイルをメモリカード２２４から画像メモリ３０５に読み込む（ステップＳ１４０２）。カーソル位置に対応するファイル名（文書名）はメモリカード２２４の所定の領域に記憶されている。次に、このファイル名を前述のｎｅｗ処理で行った一時記憶と同様に所定の領域に記憶する（ステップＳ１４０３）。
【００５１】
次に、図４に示したｄｅｌｅｔｅ領域にペンダウンが行われた場合（ステップＳ４０９）の処理を説明する。図１５は、この処理の手順を示すフローチャートである。まず、イベント処理部３０２がペンアップがなされたか否かを検出する（ステップＳ１５０１）。ペンアップがなされていない場合（ステップＳ１５０１：Ｎｏ）は、ペンアップがなされるまでループする。ペンアップがなされた場合（ステップＳ１５０１：Ｙｅｓ）は、それがｄｅｌｅｔｅボタン領域内であるか否かを検出する（ステップＳ１５０２）。ペンアップがｄｅｌｅｔｅボタン領域内になされた場合（ステップＳ１５０２：Ｙｅｓ）は、ｄｅｌｅｔｅ処理を行い（ステップＳ１５０３）、イベントｌｏｏｐへ戻る（ステップＳ１５０４）。ペンアップがｄｅｌｅｔｅボタン領域内になされなかった場合（ステップＳ１５０２：Ｎｏ）は、ｄｅｌｅｔｅ処理は行わず、そのままイベントｌｏｏｐへ戻る（ステップＳ１５０４）。
【００５２】
ここで、ｄｅｌｅｔｅ処理について説明する。図１６は、ｄｅｌｅｔｅ処理の手順を示すフローチャートである。この処理は、現在のカーソル位置に対応するファイル名のファイルをメモリカード２２４から削除するのみである（ステップＳ１６０１）。なお、カーソル位置に対応するファイル名（文書名）はメモリカード２２４の所定の領域に記憶されている。
【００５３】
次に、図４に示したｐｒｉｎｔ領域にペンダウンが行われた場合（ステップＳ４１０）の処理を説明する。図１７は、この処理の手順を示すフローチャートである。まず、イベント処理部３０２がペンアップがなされたか否かを検出する（ステップＳ１７０１）。ペンアップがなされていない場合（ステップＳ１７０１：Ｎｏ）は、ペンアップがなされるまでループする。ペンアップがなされた場合（ステップＳ１７０１：Ｙｅｓ）は、それがｐｒｉｎｔボタン領域内であるか否かを検出する（ステップＳ１７０２）。ペンアップがｐｒｉｎｔボタン領域内になされた場合（ステップＳ１７０２：Ｙｅｓ）は、ｐｒｉｎｔ処理を行い（ステップＳ１７０３）、イベントｌｏｏｐへ戻る（ステップＳ１７０４）。ペンアップがｐｒｉｎｔボタン領域内になされなかった場合（ステップＳ１７０２：Ｎｏ）は、ｐｒｉｎｔ処理は行わず、そのままイベントｌｏｏｐへ戻る（ステップＳ１７０４）。
【００５４】
ここで、ｐｒｉｎｔ処理について説明する。図１８は、ｐｒｉｎｔ処理の手順を示すフローチャートである。この処理は、現在の画像メモリ３０５内に記憶されている画像データをＲｅａｄ／Ｗｒｉｔｅ／Ｃｌｅａｒ制御部３０６を介してプリンタ制御部３０７へ送り、プリンタが解釈できるデータにしてプリンタに出力する（ステップＳ１８０１）。
【００５５】
（実施の形態２）
図１９は、実施の形態２にかかる疑似電子白板装置の利用シーンの一例を示す図である。この実施の形態２の疑似電子白板装置１９００は、装置本体１９０１と周知の電磁誘導タブレットで構成されたペン入力部１９０２とにより構成される。テーブル１９３０に座っている会議メンバーのうち、操作者（リーダーまたは記録担当者等）１９３１が、ペン入力部１９０２を操作することによって、装置本体１９０１に接続されているプロジェクタ１９０５を介してスクリーン１９０６に手書き文字を投影することで、従来の電子白板装置と同様の機能を実現する。
【００５６】
図２０は、実施の形態２の疑似電子白板装置の外観図である。この疑似電子白板装置１９００の装置本体１９０１は、おおよそＡ５版程度の大きさで、厚さは２０〜３０ｍｍ程度である。装置本体１９０１の前面には、操作ボタン１９０３と液晶表示部１９０４を備えている。操作ボタン１９０３には、ｎｅｗ，ｃｌｏｓｅ，↑，↓，ｌｏａｄ，ｐｒｉｎｔ，ｄｅｌｅｔｅの７種類があり、ハードボタンとなっている。液晶表示部１９０４は、実施の形態１に示した装置と同様に８０×１６０画素程度の安価なモノクロ液晶により構成され、リスト表示部１９０４ａとサムネイル表示部１９０４ｂに分かれている。リスト表示部１９０４ａには、表示されたリストを示すカーソル１９０７が表示される。
【００５７】
さらに、装置本体１９０１の側面には、ＲＧＢＯｕｔ端子１９１１，ＰＲＯｕｔ端子１９１２，ＵＳＢ端子１９１３，１９１４をはじめとするいくつかの接続端子が設けられている。ＲＧＢＯｕｔ端子１９１１には、プロジェクタ１９２１（図１９の１９０５）のＲＧＢＩｎ端子が接続される。ＰＲＯｕｔ端子１９１２には、外部のプリンタ１９２２が接続される。ＰＲＯｕｔ端子１９１２は、セントロニクス準拠のパラレルインタフェースで構成される。ＵＳＢ端子１９１３は、パソコン１９２３など外部の機器が装置本体１９０１内の記憶手段に記憶されている画像データ等を読み出すために利用される。また、ＵＳＢ端子１９１４には、ペン入力部１９０２が接続されている。このペン入力部１９０２の手書き入力領域１９０８に専用のペン１９０９を用いて文字や図形等の手書き入力が可能になる。さらに、この装置本体１９０１は、スマートメディアで構成されているメモリカード１９２４を着脱可能にするメモリカードスロット１９１５を備えている。メモリカードスロット１９１５にメモリカード１９２４を装着することで、このメモリカード１９２４を疑似電子白板装置１９００の記憶手段とすることができる。
【００５８】
図２１は、実施の形態２の疑似電子白板装置の装置本体１９０１の概略構成を示すブロック図である。この装置本体１９０１は、ＣＰＵ２１００により制御され動作する。ペン入力部１９０２から入力された、ペンダウン／ペンアップ／ペン移動などの情報は、ＵＳＢ端子１９１４，ＵＳＢ制御部２１０１，入力制御部２１０２を介してイベント処理部２１０３へ入力される。イベント処理部２１０３ではペンの手書き入力領域１９０８における動作に対応するイベントを発生させる。ペン１９０９が手書き入力領域１９０８上で動作したことによりイベントが発生した場合は、描画処理部２１０４で次の処理が行われる。この処理の概要は、手書き入力領域１９０８に入力されたペンの軌跡を画像メモリ２１０５内に画像として展開することである。また、操作ボタン１９０３が押下されると、これを操作ボタン制御部２１０６が検出し、検出結果をイベント処理部２１０３へ伝える。操作ボタン１９０３の押下によりイベントが発生した場合、コマンド制御部２１０７で、次の処理が行われる。この処理の概要は、イベントを発生させたボタンに対応するもので、画像メモリ２１０５のクリア、画像メモリ２１０５内画像のメモリカード１９２４へのファイルとしての書き込み、メモリカード１９２４内の画像ファイルのリスト選択と選択ファイルの画像メモリ２１０５へのロード、画像メモリ２１０５内の画像のプリント出力である。このとき、所定のコマンドがコマンド制御部２１０７からＲｅａｄ／Ｗｒｉｔｅ／Ｃｌｅａｒ制御部２１０８に送られ、そしてプリンタ制御部２１０９を介して印刷動作が実行される。
【００５９】
液晶表示部１９０４には、現在のメモリカード１９２４内のファイル一覧、現在画像メモリ２１０５にロードされているファイルを指し示すカーソル１９０７、および現在画像メモリ２１０５にロードされている画像のサムネイルが表示される。この表示の制御は、前述したイベント処理により実行された処理に対応して、液晶表示制御部２１１０が行う。
【００６０】
また、現在画像メモリ２１０５にロードされている画像は、映像信号制御部２１１１により、常に所定のレートで映像信号に変換されて映像信号出力部２１１２からＲＧＢＯｕｔ端子１９１１へ出力される。例えば、一般的なプロジェクタを対象とした場合、ＸＧＡ（１０２４×７６９画素）のＲＧＢ出力で出力される。メモリカード１９２４内の画像ファイルは、Ｒｅａｄ／Ｗｒｉｔｅ／Ｃｌｅａｒ制御部２１０８，マスストレージ制御部２１１３およびＵＳＢ制御部２１１４を介してＵＳＢ端子１９１３を用いるＵＳＢマスストレージクラスデバイスとして動作する。
【００６１】
次に、この実施の形態２の疑似電子白板装置の動作を説明する。図２２は、この疑似電子白板装置１９００の全体動作を示すフローチャートである。この疑似電子白板装置１９００では、イベント処理部２１０３がペン入力部１９０２および操作ボタン１９０３から入力されるイベントの監視を行っている（以下、イベントｌｏｏｐという）（ステップＳ２２０１）。そして、ペン入力部１９０２または操作ボタン１９０３へのイベント入力があると（ペンダウンイベントまたはボタンダウンイベント）、この情報がイベントｌｏｏｐへ伝えられる（ステップＳ２２０２）。ペンダウンイベントでは、イベントの付随情報としてイベントが発生した手書き入力領域１９０８上の座標をイベントｌｏｏｐに返す。一方、ボタンダウンイベントでは、イベントの付随情報としてイベントが発生したボタンの種類（ボタンＩＤ）をイベントｌｏｏｐに返す。イベントｌｏｏｐがペンダウンイベントを検知すると、手書き入力領域１９０８でのイベントに対応する所定の処理を実行する（ステップＳ２２０３）。一方、イベントｌｏｏｐ がボタンダウンイベントを検知すると、ボタンダウン処理によりどのボタンが押されたかが判断され、ボタンの種類応じて所定の処理を実行する（ステップＳ２２０４〜ステップＳ２２１０）。
【００６２】
前述した実施の形態１の装置では操作ボタンがタブレット上に構成されているため、ボタンが押されたことはペンダウン／アップのイベントにより判断したが、この実施の形態２の疑似電子白板装置１９００では、操作ボタン１９０３はハードボタンであるため、ボタンのダウン／アップを検出することで処理が実行される。以下はｎｅｗ ボタン操作を例に動作を説明する。その他のボタンに関しても、実施の形態１で述べた説明を参照すれば足りるので、ここでの説明は省略する。
【００６３】
図２２に示したｎｅｗボタンのボタンダウンがなされた場合（ステップＳ２２０４）の処理を説明する。図２３は、この処理手順を示すフローチャートである。まず、イベント処理部２１０３がボタンアップがなされたか否かを検出する（ステップＳ２３０１）。ボタンアップがなされていない場合（ステップＳ２３０１：Ｎｏ）は、ボタンアップがなされるまでループする。ボタンアップがなされた場合（ステップＳ２３０１：Ｙｅｓ）は、ｎｅｗ処理を行い（ステップＳ２３０２）、イベントｌｏｏｐへ戻る（ステップＳ２３０３）。
【００６４】
ここで、ｎｅｗ処理について説明する。図２４は、ｎｅｗ処理の手順を示すフローチャートである。はじめに、画像メモリ２１０５をクリア、すなわち背景色で塗りつぶした初期画像を画像メモリ２１０５内に展開する（ステップＳ２４０１）。次に、文書名、すなわち画像メモリ２１０５内の画像データをメモリカード１９２４に書き込む場合のファイル名となる文字列を時刻や日付などからユニークに生成する（ステップＳ２４０２）。そして、生成した文書名等を画像メモリ２１０５の所定の領域に記憶する（一次記憶）（ステップＳ２４０３）。なお、このときの生成文字列は、実施の形態１の場合と同様である。また、このｎｅｗ処理は、図２３に示した場合以外にも、例えば装置の電源が投入された場合にも、パワーオンリセット後に実行される。
【００６５】
（実施の形態３）
図２５は、実施の形態３にかかる疑似電子白板装置の利用シーンの一例を示す図である。この実施の形態３の疑似電子白板装置２５００は、装置本体２５０１とペン入力部１９０２とにより構成される。ペン入力部１９０２は、実施の形態２に示したものと同様である。また、装置本体２５０１は、実施の形態２の装置本体１９０１とプロジェクタ２５０２とが一体化されて構成されている。テーブル２５０３に座っている会議メンバーのうち、操作者（リーダーまたは記録担当者等）２５０４が、ペン入力部１９０２を操作することによって、装置本体２５０１に内蔵されているプロジェクタ２５０２を介してスクリーン２５０５に手書き文字を投影することで、従来の電子白板装置と同様の機能を実現する。
【００６６】
図２６は、この実施の形態３の疑似電子白板装置の外観図である。この実施の形態３の疑似電子白板装置２５００は、実施の形態２で示した疑似電子白板装置において、ペン入力部１９０２を除く部分がプロジェクタ２５０２と同じ筐体に一体化されて構成されている。これ以外の点は、まったく実施の形態２の装置と同様であるため、詳細な説明は省略する。
【００６７】
以上説明したように、疑似電子白板装置、疑似電子白板投影方法、および疑似電子白板投影プログラムによれば、通常のプロジェクタと組み合わせるだけで、パソコンの利用を前提とせずに、従来の電子白板装置で行われていたのと同様な、視線を共有させた手書き入力機能を提供できる。
【００６８】
なお、本実施の形態で説明した疑似電子白板投影方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００６９】
以上のように、本発明にかかる疑似電子白板装置、疑似電子白板投影方法、および疑似電子白板投影プログラムは、一般的なデータプロジェクタの有効利用とコスト削減、および設置性や速い起動性等のユーザビリティ向上に有用であり、特に、限られたスペースでの会議等に適している。
【図面の簡単な説明】
【００７０】
【図１】実施の形態１にかかる疑似電子白板装置の利用シーンの一例を示す図である。
【図２】実施の形態１の疑似電子白板装置の外観図である。
【図３】実施の形態１の疑似電子白板装置の概略構成を示すブロック図である。
【図４】実施の形態１の疑似電子白板装置の全体動作を示すフローチャートである。
【図５】手書き入力処理の手順を示すフローチャートである。
【図６】画面表示された描画図形の一例を示す図である。
【図７】ｎｅｗボタン領域にペンダウンがなされた場合の処理手順を示すフローチャートである。
【図８】ｎｅｗ処理の手順を示すフローチャートである。
【図９】ｃｌｏｓｅボタン領域にペンダウンが行われた場合の処理手順を示すフローチャートである。
【図１０】ｃｌｏｓｅ処理の手順を示すフローチャートである。
【図１１−１】カーソル（↑）ボタン領域にペンダウンが行われた場合の処理手順を示すフローチャートである。
【図１１−２】カーソル（↓）ボタン領域にペンダウンが行われた場合の処理手順を示すフローチャートである。
【図１２−１】カーソル（↑）処理の手順を示すフローチャートである。
【図１２−２】カーソル（↓）処理の手順を示すフローチャートである。
【図１３】ｌｏａｄ領域にペンダウンが行われた場合の処理手順を示すフローチャートである。
【図１４】ｌｏａｄ処理の手順を示すフローチャートである。
【図１５】ｄｅｌｅｔｅ領域にペンダウンが行われた場合の処理手順を示すフローチャートである。
【図１６】ｄｅｌｅｔｅ処理の手順を示すフローチャートである。
【図１７】ｐｒｉｎｔ領域にペンダウンが行われた場合の処理手順を示すフローチャートである。
【図１８】ｐｒｉｎｔ処理の手順を示すフローチャートである。
【図１９】実施の形態２にかかる疑似電子白板装置の利用シーンの一例を示す図である。
【図２０】実施の形態２の疑似電子白板装置の外観図である。
【図２１】実施の形態２の疑似電子白板装置の装置本体の概略構成を示すブロック図である。
【図２２】実施の形態２の疑似電子白板装置の全体動作を示すフローチャートである。
【図２３】ｎｅｗボタンのボタンダウンがなされた場合の処理手順を示すフローチャートである。
【図２４】ｎｅｗ処理の手順を示すフローチャートである。
【図２５】実施の形態３にかかる疑似電子白板装置の利用シーンの一例を示す図である。
【図２６】実施の形態３の疑似電子白板装置の外観図である。
【符号の説明】
【００７１】
１００，１９００，２５００  疑似電子白板装置
１０３，２２１，１９０５，１９２１，２５０２  プロジェクタ
１０４，１９０６，２５０５  スクリーン
２０１，１９０２  ペン入力部
２０２，１９０４  液晶表示部
２０３，１９０９  ペン
２０４，１９０８  手書き入力領域
２０５，１９０３  操作ボタン
２０６，１９０４ａ  リスト表示部
２０７，１９０４ｂ  サムネイル表示部
２０８，１９０７  カーソル
２１１，１９１１  ＲＧＢＯｕｔ端子
２１２，１９１２  ＰＲＯｕｔ端子
２１３，１９１３，１９１４  ＵＳＢ端子
２１４，１９１５  メモリカードスロット
２２２，１９２２  プリンタ
２２３，１９２３  パソコン
２２４，１９２４  メモリカード
３００，２１００  ＣＰＵ
３０１，２１０２  入力制御部
３０２，２１０３  イベント処理部
３０３，２１０４  描画処理部
３０４，２１０７  コマンド制御部
３０５，２１０５  画像メモリ
３０６，２１０８  Ｒｅａｄ／Ｗｒｉｔｅ／Ｃｌｅａｒ制御部
３０７，２１０９  プリンタ制御部
３０８，２１１０  液晶表示制御部
３０９，２１１１  映像信号制御部
３１０，２１１２  映像信号出力部
３１１，２１１３  マスストレージ制御部
３１２，２１０１，２１１４  ＵＳＢ制御部
１９０１，２５０１  装置本体
２１０６  操作ボタン制御部
【図１】
2005092158.tif 000003
【図２】
2005092158.tif 000004
【図３】
2005092158.tif 000005
【図４】
2005092158.tif 000006
【図５】
2005092158.tif 000007
【図６】
2005092158.tif 000008
【図７】
2005092158.tif 000009
【図８】
2005092158.tif 000010
【図９】
2005092158.tif 000011
【図１０】
2005092158.tif 000012
【図１１−１】
2005092158.tif 000013
【図１１−２】
2005092158.tif 000014
【図１２−１】
2005092158.tif 000015
【図１２−２】
2005092158.tif 000016
【図１３】
2005092158.tif 000017
【図１４】
2005092158.tif 000018
【図１５】
2005092158.tif 000019
【図１６】
2005092158.tif 000020
【図１７】
2005092158.tif 000021
【図１８】
2005092158.tif 000022
【図１９】
2005092158.tif 000023
【図２０】
2005092158.tif 000024
【図２１】
2005092158.tif 000025
【図２２】
2005092158.tif 000026
【図２３】
2005092158.tif 000027
【図２４】
2005092158.tif 000028
【図２５】
2005092158.tif 000029
【図２６】
2005092158.tif 000030